(57)【特許請求の範囲】
【請求項１】
上部に流し鉢及び水栓を備え、該流し鉢の排水口に連なる排水ホースと該水栓に連なる給水ホースがキャビネット内に引き回されている水回りキャビネットにおいて、
該給水ホースが該キャビネット内の奥部のコーナー部に沿って上下方向に引き回され、該排水ホースが該給水ホースに沿って引き回され、
該排水ホースが留め具によって該キャビネットに留め付けられ、且つ該排水ホースと該コーナー部との間に該給水ホースが挟まれていることを特徴とする水回りキャビネット。
【請求項２】
請求項１において、キャビネット内の底板が着脱可能となっており、
該底板からサニタリボックス収納用スペースを区画するための区画板を立設したことを特徴とする水回りキャビネット。
【請求項３】
請求項２において、該区画板は、該底板から立ち上がる縦板と、該縦板の上端から横方向に張り出す横板とを備え、
該横板の張り出し方向の先端側がキャビネット内の側面のダボに係止されていることを特徴とする水回りキャビネット。
【発明の詳細な説明】
【０００１】
【発明の属する技術分野】
本発明は、上部に手洗器、洗面器、掃除用流しなどの流し鉢を備えた水回りキャビネットに関する。
【０００２】
【従来の技術】
手洗キャビネット、洗面キャビネット、掃除用流しキャビネットなどにあっては、キャビネットの上部に手洗器等の流し鉢を設け、キャビネット内部に給水ホース及び排水ホースを引き回すことがある。
【０００３】
従来、給水ホースと排水ホースとは別々に引き回され、必要に応じ個々にキャビネットに留め付けるようにしている。
【０００４】
この給水ホース及び排水ホースをキャビネット底板の下側の止水栓や、排水管先端に接続し易くするために、キャビネット底板を着脱可能とすることがある。
【０００５】
【発明が解決しようとする課題】
(1)給水ホースと排水ホースとを別々にキャビネットに留め付けると、止め具の数が多くなり、コスト高になると共に、留め具の取付作業数も多くなり、不便である。
本発明は、給水ホース及び排水ホースの留め具の数が少なく、留め付けが簡単になる水回りキャビネットを提供することを第１の目的とする。
【０００６】
(2)キャビネット底板を着脱可能とした、従来の水回りキャビネットにあっては、この底板を着脱する際の手掛かりがなく、不便であった。
本発明は、底板の着脱をきわめて簡単に行うことができる水回りキャビネットを提供することを第２の目的とする。
【０００７】
【課題を解決するための手段】
本発明（請求項１）の水回りキャビネットは上部に流し鉢及び水栓を備え、該流し鉢の排水口に連なる排水ホースと該水栓に連なる給水ホースがキャビネット内に引き回されている水回りキャビネットにおいて、該給水ホースが該キャビネット内の奥部のコーナー部に沿って上下方向に引き回され、該排水ホースが該給水ホースに沿って引き回され、該排水ホースが留め具によって該キャビネットに留め付けられ、且つ該排水ホースと該コーナー部との間に該給水ホースが挟まれていることを特徴とするものである。
【０００８】
かかる水回りキャビネットにあっては、排水ホースが給水ホースをキャビネットのコーナー部に押し込むように拘束しているので、給水ホースの留め具が不要になるか、又は極く少数で足りるようになる。
【０００９】
本発明（請求項２）の水回りキャビネットは、請求項１において、キャビネット内の底板が着脱可能となっており、該底板からサニタリボックス収納用スペースを区画するための区画板を立設したことを特徴とするものである。
【００１０】
かかる水回りキャビネットにあっては、底板から立設された区画板を手で掴むことにより底板を容易に着脱することができる。
【００１１】
この区画板は、該底板から立ち上がる縦板と、該縦板の上端から横方向に張り出す横板とを備え、該横板の張り出し方向の先端側がキャビネット内の側面のダボに係止されていることが好ましい。かかる構成にあっては、横板の左右両端が縦板とダボによって支承された両持ち構造となるため、横板の上に重量物を載せることが可能である。
【００１２】
【発明の実施の形態】
以下、図面を参照して実施の形態について説明する。第１図は実施の形態に係る手洗キャビネットの斜視図、第２図及び第３図は手洗器の取付手順を示す斜視図、第４図及び第５図はキャビネットの据付け手順を示す斜視図、第６図は手洗器付きキャビネットの分解斜視図である。第７図（ａ）は同キャビネットの平面図、第７図（ｂ）はその正面図、第７図（ｃ）は第７図（ｂ）のＣ−Ｃ線に沿う断面図、第８図は第７図（ｂ）のVIII−VIII線に沿う断面図、第９図は手洗器の取付用の反転ボルトの斜視図、第１０図、第１１図及び、第１２図は手洗器の組み立て手順を示す斜視図である。
【００１３】
第４図の通り、室壁（例えばトイレルームの壁面）４２に凹陥部４４が設けられ、キャビネット４０の背後部が該凹陥部４４に嵌合される。
【００１４】
このキャビネット４０は、第６図の通り、左右の側板５０，５２と、上面のカウンター５４と、背板５６とによって構成された無底箱状体と、この無底箱状体の底部に着脱自在に装着された、底板６０が一体化された蹴込み６２と、扉６４とを有する。底板６０からは縦板６６が立設され、該縦板６６の上端から側方に横板６８が張出している。底板６０と横板６８は、それぞれキャビネット内部のダボ７０，７１に係止される。横板６８の下側にはサニタリボックス７２が出し入れ自在に配置される。
【００１５】
この底板６０は、縦板６６又は横板６８を掴んできわめて容易に出し入れして着脱することができる。
【００１６】
また、横板６８が縦板６６とダボ７１とに支持された両持ち構造となるため、横板６８の上に重量物（例えば液体洗剤容器）を載せることができる。
【００１７】
このキャビネット４０の上面のカウンター５４には手洗器９０の排水口金具９４を通すための開口７４が設けられている。
【００１８】
カウンター５４の後部からはバックパネル７６が立設され、このバックパネル７６に水栓８４の取付孔７８と、手洗器９０の留付用ボルトの挿通孔８０が設けられている。
【００１９】
取付孔７８に台座金具８２が取り付けられ、この台座金具８２に水栓８４の後部側が嵌合され、ビス８６によって固定される。第７図の如く、水栓８４の後部に給水ホース８８が接続される。この給水ホース８８は、キャビネット４０の内部に引き込んでおく。
【００２０】
この水栓８４の取付後に手洗器９０をキャビネット４０に取り付ける。手洗器９０は陶器製であり、カウンター５４上に載置され且つバックパネル７６に当接するように設置される。
【００２１】
第６図及び第１１図にも示す通り、手洗器９０の排水口９２には排水口金具９４がパッキン９５を介して挿入される。排水口金具９４の下部は手洗器９０の下方に突出しており、その周囲を取り巻くようにスポンジパッキン９６が装着される。排水口金具９４の先端に三角パッキン９８及びワッシャ１００を介してナット１０２が締め込まれることにより、排水口金具９４が手洗器９０に固定される。
【００２２】
この排水口金具９４の下端から取付プレート１０４が嵌締され、排水口金具９４の下端からナット１０６が締め込まれる。これにより、手洗器９０と取付プレート１０４との間でカウンター５４が強力に挟持されて手洗器９０がカウンター５４に固定される。
【００２３】
排水口金具９４の下端にパッキン１０７を介して排水管具１０８が当接され、ユニオンナット１１０によって連結固定される。排水管具１０８に排水曲げ管１１２を介して排水トラップ１１４が連結され、この排水トラップ１１４に排水ホース１１６が接続される。
【００２４】
なお、手洗器９０をカウンター５４に固定するに先立って手洗器９０の後部の下部の縦片１２０に設けられた孔１２２に反転ナット１２４をパッキン１２６及びワッシャ１２８を介して取り付けておく。
【００２５】
第９図の通り、この反転ナット１２４は、孔１２２に挿通される角体１３０と、この角体１３０の長手方向に挿通された１対のガイドスリット１３２及び１対の窓孔１３４と、角体１３０内に配置され、支軸１３８がガイドスリット１３２に案内されて角体１３０の長手方向に移動可能な棒状体１３６と、該棒状体１３６の長手方向の中央に設けられたネジ孔１４０とを有している。
【００２６】
この反転ナット１２４を縦片１２０の後方から孔１２２に通し、パッキン１２６及びワッシャ１２８を嵌めた後、棒状体１３６を窓孔１３４から張り出させる。
【００２７】
第１０図〜第１２図の通り、手洗器９０に排水口金具９４及び反転ナット１２４を取り付けた後、第２図の通りこの手洗器９０をカウンター５４に載せ、手洗器９０の後面をバックパネル７６に当接させる。そして、排水口金具９４に取付プレート１０４を介してナット１０６を締め込んで手洗器９０をカウンター５４に固定する。また、第３図の通り、バックパネル７６の後方からボルト１４２を孔８０に挿通させ、反転ナット１２４の棒状体１３６のネジ孔１４０にねじ込む。これにより、手洗器９０がキャビネット４０の上面部に堅固に固定される。
【００２８】
その後、第４図の通りキャビネット４０の背後側を室壁４２の凹陥部４４に嵌合させ、ビス１５０によってキャビネット４０を固定する。次いで、第５図の通り、排水口金具９４に排水管具１０８、排水曲げ管１１２、排水トラップ１１４、排水ホース１１６を順次に接続し、排水ホース１１６の下部をジョイント１５２を介して床排水管１５４に固定する。
【００２９】
また、床から突出した給水管の末端１５６に流量調節栓１５８（第６図）を取り付け、この流量調節栓１５８に給水ホース８８の先端を接続する。そして、給水ホース８８及び排水ホース１１６をそれぞれホース留め具１６２，１６０によってキャビネット４０のコーナー部に沿って固定する。この際、細い給水ホース８８をキャビネット４０のコーナー部の隅角に沿わせ、その上部の１箇所を１個のホース留め具１６２で留める。そして、この留め具１６２よりも下方の給水ホース８８を排水ホース１１６が押して隅角に追いやるように排水ホース１１６を１個又は複数個の留め具１６０でキャビネット４０に留め付ける。
【００３０】
その後、底板６０付きの蹴込み６２をキャビネット４０の底部に係合させ、扉６４を取り付ける。
【００３１】
このように構成されたこの留め具１６０，１６２は、弾性を有した合成樹脂製のものであり、排水ホース１１６は、給水ホース８８をコーナー部に押し込むように拘束している。このため、給水ホース８８の留め具１６２の数が少なくて足り、部品コストが安価であると共に、留め具の留め付け作業数も少なくて済む。
【００３２】
【発明の効果】
以上の通り、本発明(請求項１)の水回りキャビネットによると、給水ホースの留め付けがきわめて簡単になる。
【００３３】
本発明（請求項２）によると、底板の着脱がきわめて簡単になる。また、横板を両持ち支持構造とすることにより、横板の上に重量物を載せることも可能となる。
【図面の簡単な説明】
【図１】実施の形態に係るキャビネットの斜視図である。
【図２】手洗器の組み立て手順を示す斜視図である。
【図３】手洗器の組み立て手順を示す斜視図である。
【図４】キャビネットの据付け手順を示す斜視図である。
【図５】キャビネットの据付け手順を示す斜視図である。
【図６】手洗器付きキャビネットの分解斜視図である。
【図７】（ａ）図は実施の形態に係る手洗器付きキャビネットの平面図、（ｂ）図は実施の形態に係る手洗器付きキャビネットの正面図、（ｃ）図は（ｂ）図のＣ−Ｃ線に沿う断面図である。
【図８】第７図（ｂ）のVIII−VIII線に沿う断面図である。
【図９】手洗器の取付用の反転ボルトの斜視図である。
【図１０】手洗器の組み立て手順を示す斜視図である。
【図１１】手洗器の組み立て手順を示す斜視図である。
【図１２】手洗器の組み立て手順を示す斜視図である。
【符号の説明】
４０  キャビネット
５４  カウンター
６０  底板
６６  縦板
６８  横板
７０，７１  ダボ
７２  サニタリボックス
７６  バックパネル
８２  水栓取付台座
８４  水栓
８８  給水ホース
９０  手洗器
９４  排水口金具
１０４  取付プレート
１０８  排水管具
１１２  排水曲げ管
１１４  排水トラップ
１１６  排水ホース
１２０  縦片
１２２  孔
１２４  反転ナット
１４２  ボルト
１６０，１６２  ホース留め具
【図１】
0003637844.tif 000002
【図２】
0003637844.tif 000003
【図３】
0003637844.tif 000004
【図４】
0003637844.tif 000005
【図５】
0003637844.tif 000006
【図６】
0003637844.tif 000007
【図７】
0003637844.tif 000008
【図８】
0003637844.tif 000009
【図９】
0003637844.tif 000010
【図１０】
0003637844.tif 000011
【図１１】
0003637844.tif 000012
【図１２】
0003637844.tif 000013